(57)【要約】【課題】本発明は、返品された書籍を正確に検品できるとともに出版社との仕入れ条件とも結びついた返品書籍の検品方法を提供することを目的とする。【解決手段】書籍の検品の際にバーコードリーダ４またはＯＣＲ６により書籍を特定するコードが読み取られると、このコードを基に書誌マスター３３が検索されてこの書籍の書名と出版社が求められ、また販売マスター３５が検索されて書籍の販売条件が求められるとともに、前記求めた書名と出版社により仕入れマスター３６が検索されて書籍の出版社との仕入れ条件、たとえば出版社への書籍の返品時に出版社から精算される金額が求められ、前記求めた販売条件に基づき返品された書籍の検品が行われ、前記仕入れ条件が出力される検品方法とする。この方法によれば、書籍を正確に検品でき、検品に適合した書籍を出版社へ返品するときに、求めた精算金額に基づき返品書籍の代金請求を行うことができる。【選択図】      図２
2004258932.tif 000002
【特許請求の範囲】
【請求項１】
書籍を返品した小売業者を特定する情報を入力する入力手段と、
書籍を特定する情報を読み取る読取手段と、
各書籍の販売条件を各小売業者毎に記憶した販売条件記憶手段と、
各書籍毎にこの書籍の仕入先との仕入れ条件を記憶した仕入条件記憶手段と
を備え、
前記読取手段により前記書籍を特定する情報が読み取られると、この情報および前記入力手段により入力されたこの書籍を返品した小売業者の情報により前記販売条件記憶手段に記憶されたこの書籍の販売条件を検索し、この書籍が検索した販売条件を満たさない書籍のとき、小売業者へ返送する書籍として分類するとともに、
前記読取手段により前記書籍を特定する情報が読み取られると、この情報により前記仕入条件記憶手段を検索してこの書籍の仕入先とその仕入れ条件を求め、この求めた書籍の仕入れ条件を出力すること
を特徴とする返品書籍の検品方法。
【請求項２】
前記仕入れ条件として、各書籍毎に仕入先から清算される清算金額を記憶し、
前記読取手段により前記書籍を特定する情報が読み取られると、この情報により前記記憶された各書籍毎に仕入先から清算される清算金額を検索し、この書籍の清算金額を出力すること
を特徴とする請求項１に記載の返品書籍の検品方法。
【請求項３】
書籍を返品した小売業者を特定する情報を入力する入力手段と、
書籍を特定する情報を読み取る読取手段と、
各書籍の販売条件を各小売業者毎に記憶した販売条件記憶手段と
を備え、
前記読取手段により前記書籍を特定する情報が読み取られると、この情報および前記入力手段により入力されたこの書籍を返品した小売業者の情報により前記販売条件記憶手段に記憶されたこの書籍の販売条件を検索し、この書籍が検索した販売条件を満たさない書籍のとき、小売業者へ返送する書籍として分類するとともに、
前記書籍の少なくとも寸法または重量または体積の１つを測定し、前記測定の結果、書籍が予め設定された所定寸法内に含まれないとき、または予め設定された所定重量内に含まれないとき、または予め設定された所定体積内に含まれないとき、この書籍を除外品として分類すること
を特徴とする返品書籍の検品方法。
【請求項４】
書籍を返品した小売業者を特定する情報を入力する入力手段と、
書籍を特定する情報を読み取る読取手段と、
各書籍の販売条件を各小売業者毎に記憶した販売条件記憶手段と
各小売業者毎に販売した各書籍の冊数を記憶した冊数記憶手段と
を備え、
前記読取手段により前記書籍を特定する情報が読み取られると、この情報および前記入力手段により入力されたこの書籍を返品した小売業者の情報により前記販売条件記憶手段に記憶されたこの書籍の販売条件を検索し、この書籍が検索した販売条件を満たさない書籍のとき、小売業者へ返送する書籍として分類するとともに、
前記読取手段により前記書籍を特定する情報が読み取られると、この情報および前記入力手段により入力されたこの書籍を返品した小売業者の情報により前記冊数記憶手段を検索してこの小売業者に販売した前記書籍の冊数を求め、かつ各小売業者毎に返品された各書籍の冊数を累積し、
累積された書籍の冊数が、求めた販売書籍の冊数を超えると、異常返品として特定することを可能とし、超えた分の書籍を小売業者へ返送する書籍として分類すること
を特徴とする返品書籍の検品方法。
【請求項５】
書籍を返品した小売業者を特定する情報を入力する入力手段と、
各書籍に付された、書籍を特定する情報、および書籍の固有番号または書籍で形成する群の固有番号を読み取る読取手段と、
各書籍の販売条件を各小売業者毎に記憶し、各小売業者毎に販売した各書籍の書籍の固有番号または書籍で形成する群の固有番号を記憶した販売条件記憶手段と、
各小売業者毎に複数の流通業者より販売を受けている小売業者かどうかを記憶した小売業者記憶手段と
を備え、
前記入力手段により小売業者の情報が入力されると、この情報により前記小売業者記憶手段を検索してこの小売業者が複数の流通業者より販売を受けている小売業者かどうかを確認し、
前記読取手段により前記書籍を特定する情報、および書籍の固有番号または群の固有番号が読み取られると、この読み取られた書籍を特定する情報および前記入力手段により入力された小売業者の情報により前記販売条件記憶手段を検索してこの書籍の販売条件とこの小売業者に販売したこの書籍の固有番号または群の固有番号を求め、
この書籍が求めた販売条件を満たさない書籍のとき、小売業者へ返送する書籍として分類するとともに、
前記確認によりこの書籍を返品した小売業者が複数の流通業者から販売を受けている小売業者のとき、求めた書籍の固有番号または群の固有番号と前記読み取られた書籍の固有番号または群の固有番号を比較し、一致しないとき、返品されたきた書籍は、販売した書籍ではないと判断してこの書籍を小売業者へ返送する書籍として分類すること
を特徴とする返品書籍の検品方法。
【請求項６】
前記販売条件記憶手段に、前記各小売業者毎の各書籍の販売条件として、返品可能期間が設定された委託販売または注文販売または買切販売の条件を記憶し、
前記書籍の販売条件の検索の結果、販売条件が注文販売または買切販売のとき、または販売条件が委託販売で前記返品可能期間を過ぎているとき、この書籍を小売業者へ返送する書籍として分類すること
を特徴とする請求項１〜請求項５のいずれかに記載の返品書籍の検品方法。
【請求項７】
前記販売条件記憶手段に設定される書籍の返品可能期間は、各書籍の仕入先への返品可能期間を基に設定されること
を特徴とする請求項６に記載の返品書籍の検品方法。
【発明の詳細な説明】
【０００１】
【発明の属する技術分野】
本発明は、書店等の小売業者から返品された書籍の検品方法に関するものである。
【０００２】
【従来の技術】
一般に書籍は委託販売の形態がとられる。すなわち、書籍は、仕入先である出版社から流通業者である販売会社に委託され、さらに販売会社から小売業者である書店に委託されて販売され、また書店において売れ残った書籍は返品可能期間内に書店より販売会社へ返品され、販売会社は書店から返品された書籍を出版社毎に仕分けて返品可能期間内に各出版社へ返品している。
【０００３】
このように書店より販売会社へ返品された書籍は、販売会社において出版社毎に仕分けられるが、このとき、書店毎および書籍毎に返品の条件が異なるなど返品書籍の条件は複雑なことから、それぞれ条件を満たして返品されてきたかを検品する必要がある。販売会社と書店間で結ばれる販売条件として、返品可能期間が設定された委託販売または注文販売または買切販売などの条件があり、注文販売または買切販売の場合は返品ができない条件になっており、また委託販売では返品可能期間を過ぎると返品ができない条件になっている。
【０００４】
このような検品は、毎年約７万点以上に及ぶ新刊が発行され、多くの書店から、発行された書籍の約３５％もの書籍が返品され、また出版社の数が４千社以上に及ぶことから、多くの手間と人手を必要としてきた。そこで、返品された書籍の検品の自動化が図られてきている。このような自動化を図った従来の設備の一例として、雑誌返品処理システムが知られている。
【０００５】
この雑誌返品処理システムでは、バーコードセンサにより雑誌のコードナンバー（出版社、雑誌の種類、月号、価格などの情報が含まれる）が自動読み取りされ、このコードナンバーに対応した返品許可期間のデータに基づいて該雑誌の返品可または返品不可が判断されている（例えば、特許文献１参照）。
【０００６】
【特許文献１】
特公平５−７１４５０号公報
【０００７】
【発明が解決しようとする課題】
しかし、上記雑誌返品処理システムでは、対象が雑誌であり、毎週あるいは隔週などの短いサイクルで次の号の雑誌が発行されることから、返品許可期間のような簡単な条件で、返品可または返品不可を判断することができるが、対象が普通書籍となると、毎年約７万点以上に及ぶ新刊が発行され、さらに書店毎に返品の条件が異なるなど返品書籍の条件は複雑になってきており、簡単に返品された書籍を検品することができず、書籍を対象として正確に検品できる検品方法は実現されてなかった。また出版社と販売会社間における販売条件、すなわち出版社との仕入れ条件は出版社毎および書籍毎に異なり複雑なことから、上記検品に適合した書籍と、出版社との仕入れ条件を結びつけていなかった。
【０００８】
そこで、本発明は、返品された書籍を正確に検品できるとともに仕入れ条件とも結びついた返品書籍の検品方法を提供することを目的としたものである。
【０００９】
【課題を解決するための手段】
前述した目的を達成するために、本発明のうち請求項１に記載の発明は、書籍を返品した小売業者を特定する情報を入力する入力手段と、書籍を特定する情報を読み取る読取手段と、各書籍の販売条件を各小売業者毎に記憶した販売条件記憶手段と、各書籍毎にこの書籍の仕入先との仕入れ条件を記憶した仕入条件記憶手段とを備え、
前記読取手段により前記書籍を特定する情報が読み取られると、この情報および前記入力手段により入力されたこの書籍を返品した小売業者の情報により前記販売条件記憶手段に記憶されたこの書籍の販売条件を検索し、この書籍が検索した販売条件を満たさない書籍のとき、小売業者へ返送する書籍として分類するとともに、前記読取手段により前記書籍を特定する情報が読み取られると、この情報により前記仕入条件記憶手段を検索してこの書籍の仕入先とその仕入れ条件を求め、この求めた書籍の仕入れ条件を出力することを特徴とするものである。
【００１０】
上記方法によれば、書籍の検品の際に、読取手段により書籍を特定する情報が読み取られると、この情報により予め記憶された各書籍の仕入先との仕入れ条件が検索され、この書籍の仕入れ条件が出力される。このように、仕入先との仕入れ条件が出力されることにより、書籍を仕入先へ返品するときに、その仕入れ条件に基づいて、たとえば返品する書籍の代金を請求できる。
【００１１】
また請求項２に記載の発明は、上記請求項１に記載の発明であって、前記仕入れ条件として、各書籍毎に仕入先から清算される清算金額を記憶し、前記読取手段により前記書籍を特定する情報が読み取られると、この情報により前記記憶された各書籍毎に仕入先から清算される清算金額を検索し、この書籍の清算金額を出力することを特徴とするものである。
【００１２】
上記方法によれば、書籍の検品の際に、読取手段により書籍を特定する情報が読み取られると、この情報により予め記憶された各書籍毎に仕入先から清算される清算金額が検索され、この書籍の清算金額が出力される。このように、仕入先からの清算金額が出力されることにより、書籍を仕入先へ返品するときに、その返品する書籍の代金を請求できる。
【００１３】
また請求項３に記載の発明は、書籍を返品した小売業者を特定する情報を入力する入力手段と、書籍を特定する情報を読み取る読取手段と、各書籍の販売条件を各小売業者毎に記憶した販売条件記憶手段とを備え、
前記読取手段により前記書籍を特定する情報が読み取られると、この情報および前記入力手段により入力されたこの書籍を返品した小売業者の情報により前記販売条件記憶手段に記憶されたこの書籍の販売条件を検索し、この書籍が検索した販売条件を満たさない書籍のとき、小売業者へ返送する書籍として分類するとともに、前記書籍の少なくとも寸法または重量または体積の１つを測定し、前記測定の結果、書籍が予め設定された所定寸法内に含まれないとき、または予め設定された所定重量内に含まれないとき、または予め設定された所定体積内に含まれないとき、この書籍を除外品として分類することを特徴とするものである。
【００１４】
上記方法によれば、書籍の検品の際に、販売条件を満たさない書籍が小売業者へ返送する書籍として分類されるとともに、書籍の少なくとも寸法または重量または体積の１つが測定され、この測定の結果、書籍が予め設定された所定寸法内に含まれないとき、または予め設定された所定重量内に含まれないとき、または予め設定された所定体積内に含まれないとき、この書籍は除外品として分類される。
【００１５】
また請求項４に記載の発明は、書籍を返品した小売業者を特定する情報を入力する入力手段と、書籍を特定する情報を読み取る読取手段と、各書籍の販売条件を各小売業者毎に記憶した販売条件記憶手段と、各小売業者毎に販売した各書籍の冊数を記憶した冊数記憶手段とを備え、
前記読取手段により前記書籍を特定する情報が読み取られると、この情報および前記入力手段により入力されたこの書籍を返品した小売業者の情報により前記販売条件記憶手段に記憶されたこの書籍の販売条件を検索し、この書籍が検索した販売条件を満たさない書籍のとき、小売業者へ返送する書籍として分類するとともに、前記読取手段により前記書籍を特定する情報が読み取られると、この情報および前記入力手段により入力されたこの書籍を返品した小売業者の情報により前記冊数記憶手段を検索してこの小売業者に販売した前記書籍の冊数を求め、かつ各小売業者毎に返品された各書籍の冊数を累積し、累積された書籍の冊数が、求めた販売書籍の冊数を超えると、異常返品として特定することを可能とし、超えた分の書籍を小売業者へ返送する書籍として分類することを特徴とするものである。
【００１６】
上記方法によれば、書籍の検品の際に、販売条件を満たさない書籍が小売業者へ返送する書籍として分類されるとともに、読取手段により書籍を特定する情報が読み取られると、予め記憶された各小売業者毎に販売した各書籍の冊数が検索され、かつ各小売業者毎に返品された各書籍の冊数が累積され、累積された書籍の冊数が検索された販売書籍の冊数を超えると、異常返品として特定され、超えた分の書籍は小売業者へ返送する書籍として分類される。
【００１７】
また請求項５に記載の発明は、書籍を返品した小売業者を特定する情報を入力する入力手段と、各書籍に付された、書籍を特定する情報、および書籍の固有番号または書籍で形成する群の固有番号を読み取る読取手段と、各書籍の販売条件を各小売業者毎に記憶し、各小売業者毎に販売した各書籍の書籍の固有番号または書籍で形成する群の固有番号を記憶した販売条件記憶手段と、各小売業者毎に複数の流通業者より販売を受けている小売業者かどうかを記憶した小売業者記憶手段とを備え、
前記入力手段により小売業者の情報が入力されると、この情報により前記小売業者記憶手段を検索してこの小売業者が複数の流通業者より販売を受けている小売業者かどうかを確認し、前記読取手段により前記書籍を特定する情報、および書籍の固有番号または群の固有番号が読み取られると、この読み取られた書籍を特定する情報および前記入力手段により入力された小売業者の情報により前記販売条件記憶手段を検索してこの書籍の販売条件とこの小売業者に販売したこの書籍の固有番号または群の固有番号を求め、この書籍が求めた販売条件を満たさない書籍のとき、小売業者へ返送する書籍として分類するとともに、前記確認によりこの書籍を返品した小売業者が複数の流通業者から販売を受けている小売業者のとき、求めた書籍の固有番号または群の固有番号と前記読み取られた書籍の固有番号または群の固有番号を比較し、一致しないとき、返品されたきた書籍は、販売した書籍ではないと判断してこの書籍を小売業者へ返送する書籍として分類することを特徴とするものである。
【００１８】
上記方法によれば、書籍の検品の際に、販売条件を満たさない書籍が小売業者へ返送する書籍として分類されるとともに、この小売業者が複数の流通業者から販売を受けている小売業者のとき、この小売業者に販売したこの書籍の固有番号または群の固有番号を求められ、求めた書籍の固有番号または群の固有番号と読取手段により読み取られた書籍の固有番号または群の固有番号が比較され、一致しないとき返品されてきた書籍は、販売した書籍ではないと判断してこの書籍は小売業者へ返送する書籍として分類される。
【００１９】
また請求項６に記載の発明は、上記請求項１〜請求項５のいずれかに記載の発明であって、前記販売条件記憶手段に、前記各小売業者毎の各書籍の販売条件として、返品可能期間が設定された委託販売または注文販売または買切販売の条件を記憶し、
前記書籍の販売条件の検索の結果、販売条件が注文販売または買切販売のとき、または販売条件が委託販売で前記返品可能期間を過ぎているとき、この書籍を小売業者へ返送する書籍として分類することを特徴とするものである。
【００２０】
上記方法によれば、各小売業者毎の各書籍の販売条件として、返品可能期間が設定された委託販売または注文販売または買切販売の条件が記憶され、書籍の販売条件の検索の結果、販売条件が注文販売または買切販売のとき、または販売条件が委託販売で前記返品可能期間を過ぎているとき、この書籍は小売業者へ返送する書籍として分類される。
【００２１】
また請求項７に記載の発明は、上記請求項６に記載の発明であって、前記販売条件記憶手段に設定される書籍の返品可能期間は、各書籍の仕入先への返品可能期間を基に設定されることを特徴とするものである。
【００２２】
上記方法によれば、書籍の返品可能期間は、各書籍の仕入先への返品可能期間を基に設定され、仕入先への返品が可能なように委託販売の返品可能期間が設定される。
【００２３】
【発明の実施の形態】
以下、本発明の実施の形態を図面に基づいて説明する。
図１は本発明の実施の形態における返品書籍の検品方法を実行する販売会社（流通業者の一例）の仕分け設備の構成図、図２は同仕分け設備の制御構成図である。
【００２４】
図１において、１は書店（小売業者の一例）より返品する書籍を入れて販売会社へ搬送されてきたダンボール（容器の一例）から（返品）書籍Ｂを取り出して仕分け経路ａへ投入する投入口であり、この投入口１から投入された書籍Ｂはベルトコンベヤ装置（搬送手段の一例）２により下流へ搬送される。また投入口１の近傍に、前記ダンボールに記された書店のコード（小売業者を特定する情報の一例）と仕分け終了を、後述するコンピュータからなる制御装置３１へ入力する表示機能（たとえば液晶表示器）付き入力装置（入力手段の一例）３が配置されている。なお、この入力装置３に代えて、入力手段として前記容器から書店毎に設定されたバーコードを読み取るバーコードリーダを設けてもよい。
【００２５】
また前記ベルトコンベヤ装置２により形成される仕分け経路ａに沿って、書籍を判別する手段として上流より、書籍Ｂに貼り付けられたＩＣチップ実装ラベルのＩＣチップに記憶されたデータと上記ダンボールに添付されるバインダーＶ（詳細は後述する）のＩＣチップに記憶されたデータを読み取るＩＣチップリーダ（読取手段の一例）８、搬送されている書籍のバーコード（書籍を特定する情報の一例）を読み取るバーコードリーダ（読取手段の一例）４、搬送されている書籍の寸法（サイズ）を測定する光電スイッチからなる採寸装置（採寸手段の一例）５、搬送されている書籍のＩＳＢＮコード（書籍を特定する情報の一例）を読み取る光学文字認識装置（ＯＣＲ；読取手段の一例）６、搬送されている書籍の重量を測定する重量センサ（重量測定手段の一例）７が配置されている。前記バーコードリーダ４は、書籍の通過を検知すると、バーコードの読取を実行し、読取の良否の情報（読取することができたかどうかの情報）とコード情報からなる読取信号を出力する。また同様にＯＣＲ６は、書籍の通過を検知すると、ＩＳＢＮコードの読取を実行し、読取の良否の情報（読取することができたかどうかの情報）とコード情報からなる読取信号を出力する。また上記書籍Ｂには、上記ＩＣチップ実装ラベルを貼り付けている書籍と貼り付けていない書籍があり、貼り付けている書籍Ｂには、そのＩＣチップ実装ラベルのＩＣチップに、書籍Ｂを特定する書名のコード（書籍を特定する情報の一例）と、書籍Ｂを出版した出版社のコードと、この書籍Ｂに順に付されたシリアル番号（固有番号の一例）またはロット番号（書籍Ｂで形成された群の固有番号の一例）と、この書籍Ｂの発行日からなる書誌データ、あるいは各種販売情報履歴などが予め記憶されている。
【００２６】
上記バインダーＶは、たとえばＢ５サイズの書籍と同一の程度の大きさの樹脂等の成形品から構成され、表面にＩＣチップ実装ラベル９が取り外し可能に取り付けられており、このＩＣチップ実装ラベル９のＩＣチップに予め記憶された特有の番号（たとえばシリアル番号）が上記ＩＣチップリーダ８により読み取られる。この番号は予め上記ダンボール毎に対応しており、書店からダンボールが送られてくると、このダンボールの付された書店のコード（あるいは書店名）が読み取られるとともに、バインダーＶが添付され、書店のコードとバインダーＶの番号が、ダンボールの書店からの受け入れを管理する管理コンピュータ１０において管理される。またバインダーＶのＩＣチップに記憶された番号の読み取りにより、ダンボールに収納されていた書籍Ｂが全て投入されたこと（１ダンボールの仕分け終了）が検知される（詳細は後述する）。
【００２７】
またこれら書籍を判別する手段の下流には仕分け経路ａに沿って、後述する仕分け条件にしたがってそれぞれ書籍を仕分ける、除外品（規格を外れた異型品）仕分け用のリジェクタ１１，再検品仕分け用のリジェクタ１２，返送品仕分け用のリジェクタ１３が連続して配置され、その下流には、大判の書籍を仕分ける振り分け装置１４が配置されている。これらリジェクタ１１，１２，１３と振り分け装置１４は、制御装置３１の指令に基づいて、書籍を搬送するコンベヤ装置を傾斜させて書籍を下へ落下させ、仕分けるように構成されており、リジェクタ１１，１２，１３と振り分け装置１４の下方位置に、それぞれ仕分けられた書籍を搬送するコンベヤ装置１５，１６，１７，１８が配置されている。リジェクタ１１の下方のコンベヤ装置１５は、仕分けの際に、除外する書籍を仕分ける除外品取出し部（異型品ライン）、リジェクタ１２の下方のコンベヤ装置１６は、再検品が必要な書籍を仕分ける再検品取出し部（再検品ライン）、リジェクタ１３の下方のコンベヤ装置１７は、書店への販売条件を満たさない書籍を仕分ける返送品取出し部（返送品ライン）を構成している。
【００２８】
また振り分け装置１４の下流に、書籍Ｂを出版社（仕入先の一例）へ返品する作業日程計画に基づいて、たとえば出版社毎、あるいは出版社毎に設定された返品書籍を受け入れる曜日毎等に、書籍Ｂを仕分けるための自動仕分け装置２１が配置されている。この自動仕分け装置２１は、仕分け用収納箱を備えた複数の受け入れ部（図示せず）を有し、上記振り分け装置１４を通過してきた書籍を搬送しながらそれぞれ特定の受け入れ部に仕分ける装置である。
【００２９】
上記リジェクタ１１，１２，１３と振り分け装置１４と自動仕分け装置２１により書籍Ｂの仕分け手段が形成され、またリジェクタ１１，１２，１３と振り分け装置１４の下方にそれぞれ配置されるコンベヤ装置１５，１６，１７，１８と自動仕分け装置２１の各受け入れ部により書籍Ｂの仕分け口が形成されている。
【００３０】
また図２に示すように、上記入力装置３に入力された書店のデータ、バーコードリーダ４の読取信号、採寸装置５に測定された書籍の寸法データ、ＯＣＲ６の読取信号、重量センサ７により測定された書籍の重量データ、およびＩＣチップリーダ８の読取信号が、コンピュータからなる制御装置３１へ入力されており、また制御装置３１にデータベース３２が接続されている。制御装置３１は、前記入力したデータおよびデータベース３２に予め記憶されているデータに基づいて、リジェクタ１１，１２，１３と振り分け装置１４を駆動し、また後述する「書籍を仕分ける受け入れ部を特定する情報」を自動仕分け装置２１へ出力している。また制御装置３１には、書店毎および書籍毎にカウントした冊数を記憶するメモリ（冊数記憶手段の一例）３１Ａと、返品が確定した書籍Ｂの、出版社への返品確定データ｛出版社と書名と清算される仕入れ価格（清算金額）からなるデータ；詳細は後述する｝と書店への返品確定データ（書店と書名と卸し価格からなるデータ；詳細は後述する）を記憶するメモリ３１Ｂが設けられている。
【００３１】
前記データベース３２は、図３に示すように、
発行された各書籍Ｂ毎に、書名と、そのコードと、この書籍Ｂを出版した出版社およびそのコードと、この書籍Ｂの発行日などのデータが記憶されている書誌マスター３３と、
書籍を販売する各書店毎に、そのコードと、通常店か特別管理店かを判断するなどのデータが記憶されている書店マスター（書店重複記憶手段）３４と、
各書店毎に、そして各書籍毎に、販売記録として、販売日、販売された冊数などが記憶され、さらにＩＣチップ実装ラベルが貼り付けられた書籍の場合には販売された書籍Ｂのシリアル番号（またはロット番号）などが記憶され、さらに販売条件として、返品可能期間が設定された委託販売品か、注文販売品か、または買切販売品かの条件、さらに卸し価格（返品時に販売会社から書店へ払い戻しされる払い戻し金額でもある）などが記憶されている販売マスター（販売記録・販売条件記憶手段の一例）３５と、
各出版社毎および各書籍毎に、出版社との仕入れ条件として、書籍の返品可能期間と返品時に出版社から清算される仕入れ価格などが記憶されている仕入れマスター（仕入条件記憶手段の一例）３６
から構成されている。
【００３２】
上記制御装置３１は、図４のブロック図に示すように、投入口１から投入された書籍Ｂの検品などを実行する制御部４１（詳細は後述する）とトラッキング部４２から構成されている。
【００３３】
トラッキング部４２は、時計４３と、ＯＣＲ６の読取信号を入力する毎に時計４３の時刻を記憶するメモリ４４と、書籍ＢがＯＣＲ６から各リジェクタ１１，１２，１３、振り分け装置１４、自動仕分け装置２１へ搬送されていく通過時間がそれぞれ予め設定され、スキャンタイム毎にメモリ４４を検索して時刻の記憶を確認すると、メモリ４４に記憶された各時刻に各通過時間を加算した時刻を求め、時計４３の時刻と一致すると、それぞれパルス信号を出力し、さらに自動仕分け装置２１へのパルス信号を出力するとメモリ４４に記憶された時刻を消去する経過時間検出部４５から構成されている。このトラッキング部４２の構成により、書籍ＢはＯＣＲ６を通過すると、各リジェクタ１１，１２，１３、振り分け装置１４と書籍Ｂが通過するタイミングでパルス信号（タイミング信号）が出力され、また自動仕分け装置２１へ書籍Ｂが搬出されるタイミングでパルス信号（タイミング信号）が出力される。
【００３４】
前記制御部４１の動作を図５および図６に示すフローチャートにしたがって説明する。なお、制御部４１には、予め大判として仕分ける書籍の寸法、リジェクトする書籍の寸法・体積（所定寸法・所定体積）、リジェクトする書籍の重量（所定重量）が設定され、さらに各出版社の返品書籍の受け入れの曜日（書籍を出版社へ返品する作業日程計画に基づく書籍Ｂの「仕分け条件」の一例）が記憶されている。なお、前記仕分け条件として、前記出版社の返品書籍の受け入れの曜日（出版社へ書籍を返却する曜日）以外に、書籍の判型、出版社、または出版社名の５０音順、または出版社名が５０音図の行別（ア行、カ行、サ行…の別）あるいは行（ア行、カ行、サ行…）の組合せの別、または書籍Ｂが新刊か既刊かの別があり、またこれらの組合せもある。また、上述したように書籍Ｂには、ＩＣチップ実装ラベルを貼り付けている書籍と貼り付けていない書籍がある。
【００３５】
まず、入力装置３により書店のコードが入力されると（ステップ−１）、この書店名が書店マスター３３に登録されているかが判定され（ステップ−２）、登録されていないとき、仕分け不可を入力装置３に表示して（ステップ−３）、終了する。
【００３６】
ステップ−２において、書店名が書店マスター３３に登録されているとき、書店マスター３３において、書店名と通常店か特別管理店かを判断する情報を求めて記憶する（ステップ−４）。
【００３７】
続いて、ＩＣチップリーダ８の読取信号が入力されているかを確認し（ステップ−５）、確認すると、ＩＣチップリーダ８の読取信号のデータが書誌データかどうかを確認し（ステップ−６）、確認すると、この書誌データを形成する書名のコードと出版社のコードにより書誌マスター３３を検索して書籍Ｂの書名と書籍Ｂを発行した出版社を求め、この求めた書籍Ｂの書名と出版社、および書誌データの書籍Ｂのシリアル番号と発行日を記憶し（ステップ−７）、確認できないとき、すなわち書誌データではなかったとき、バインダーＶのＩＣチップのダンボール毎に対応したシリアル番号を読み取ったと判断して、このシリアル番号と前記記憶した書店名からなるデータ（書店のコードとバインダーＶの番号からなるデータ）を管理コンピュータ１０へ出力する（ステップ−８）。続いてバインダーＶを再検品ラインへ搬送するために、リジェクタ１２への再検品信号を一定時間出力し（ステップ−９）、後述するメモリ３１Ｂに記憶された「出版社への返品確定データ」と「書店への返品確定データ」を出力して（ステップ−１０）、終了する。
【００３８】
また上記ステップ−５においてＩＣチップリーダ８の読取信号を確認できないとき、バーコードリーダ４の読取信号を確認し（ステップ−１１）、バーコードリーダ４の読取信号を確認すると、書籍Ｂのシリアル番号（またはロット番号）未確認（読み取ることができなかったこと）を記憶し（ステップ−１２）、続いてＯＣＲ６より読取信号が入力されているかを確認する（ステップ−１３）。続いて書籍のバーコードと書籍のＩＳＢＮコードが共に読み取られているか、共に読み取られていないとき、少なくとも一方が読み取られているを確認し（ステップ−１４，１５）、書籍のバーコードと書籍のＩＳＢＮコードが共に読み取られていないとき、すなわちノーリードのとき、この書籍を再検品ラインへ搬送すると決定し、リジェクタ１２への再検品信号を一定時間出力し（ステップ−１６）、ステップ−５へ戻り、次の書籍のＩＣチップまたはバーコード読取信号を待つ。
【００３９】
またステップ−１４においてコードが共に読み取られているとき、これら書籍のバーコードと書籍のＩＳＢＮコードが一致しているかを確認し（ステップ−１７）、一致していないとき、書籍のバーコードを正とする（ステップ−１８）。
【００４０】
ステップ−１５またはステップ−１７またはステップ−１８により書籍のコードが確定すると、この書籍のコードにより書誌マスター３３を検索して書籍Ｂの書名と書籍Ｂを発行した出版社を求めて記憶する（ステップ−１９）。
【００４１】
続いて、このステップにおいて記憶した書籍Ｂの書名またはステップ−７において記憶した書籍Ｂの書名、および前記記憶した書店名により、販売マスター３５を検索して登録されているかどうかを確認し（ステップ−２０）、確認できないと、ステップ−１６を実行して、この書籍を再検品ラインへ搬送すると決定し、リジェクタ１２への再検品信号を出力し、続いてステップ−５へ戻り、次の書籍のＩＣチップまたはバーコード読取信号を待つ。
【００４２】
販売マスター３５への登録を確認すると、販売マスター３５を検索した結果、すなわち販売日、販売された冊数、（ＩＣチップ実装ラベルが貼り付けである場合）販売された書籍Ｂのシリアル番号（またはロット番号）、販売条件、卸し価格を求めて記憶する（ステップ−２１）。
【００４３】
続いてメモリ３１Ａを検索して、記憶された書店名および書名の返品書籍Ｂの冊数Ｍ（過去の冊数）を求め、このＭに“１”を加算して返品書籍の数をカウント（Ｍ＝Ｍ＋１）し、メモリ３１Ａへ記憶し（ステップ−２２）、続いてカウント値Ｍが、前記検索された「販売された冊数」より大きいかを確認し（ステップ−２３）、大きいと確認すると、異常返品として特定し、リジェクタ１３への返送品信号を一定時間出力して（ステップ−２４）、ステップ−５へ戻り、次の書籍のＩＣチップまたはバーコード読取信号を待つ。
【００４４】
次に、前記記憶した書店が通常店かどうかを確認し（ステップ−２５）、通常店ではない場合（特別管理店の場合）、ステップ−１２において書籍Ｂのシリアル番号（またはロット番号）未確認と記憶されているかどうかを確認し（ステップ−２６）、未確認ではないとき、すなわちシリアル番号を読み取っているとき、前記検索された販売書籍Ｂのシリアル番号（またはロット番号）と読み取られてステップ−７において記憶された書籍Ｂのシリアル番号を比較して、販売書籍Ｂのシリアル番号と一致しているか（あるいは含まれるか）どうかを確認し（ステップ−２７）、一致していないとき（あるいは含まれないとき）、販売した書籍Ｂではないと判断として、ステップ−２４を実行して、この書籍を返送品ラインへ搬送すると決定し、リジェクタ１３への返送品信号を出力する。
【００４５】
続いて検索した販売条件が「委託品」かどうかを確認し（ステップ−２８）、委託品ではないとき、すなわち注文販売品または買切販売品のとき、ステップ−２４を実行して、この書籍を返送品ラインへ搬送すると決定し、リジェクタ１３への返送品信号を出力する。
【００４６】
また委託品のとき、前記記憶した出版社および書名により仕入れマスター３６を検索して、出版社への返却可能期間と出版社から清算される仕入れ価格を求めて記憶し（ステップ−２９）、続いて記憶した出版社への返品可能期間より販売会社で仕分けに費やされる期間を減算して書店の返却可能期間を設定し（出版社への返品が可能なように委託販売の返品可能期間を設定し）（ステップ−３０）、この書店の返却可能期間内かどうかを確認し（ステップ−３１）、返品可能期間内ではないとき、ステップ−２４を実行して、この書籍を返送品ラインへ搬送すると決定し、リジェクタ１３への返送品信号を出力する。
【００４７】
書籍が委託品でかつ返品可能期間内のとき、続いて採寸装置５に測定された書籍の寸法と重量センサ７により測定された書籍の重量を確認し、予め設定された所定寸法内に含まれるか、および予め設定された所定重量内に含まれるかを判断する（ステップ−３２）。予め設定された所定寸法内、または予め設定された所定重量内ではないと判断すると、この書籍を異型品ラインへ搬送すると決定し、リジェクタ１１への異型品信号を一定時間出力し（ステップ−３３）、ステップ−５へ戻り、次の書籍のＩＣチップまたはバーコード読取信号を待つ。
【００４８】
書籍が、予め設定された所定寸法内で、かつ所定重量内のとき、続いて採寸装置５に測定された書籍の寸法より予め設定された大判の寸法かを確認し（ステップ−３４）、大判と判断すると、振り分け装置１４で仕分けると決定し、振り分け装置１４への振り分け信号を一定時間出力し（ステップ−３５）、ステップ−５へ戻り、次の書籍のＩＣチップまたはバーコード読取信号を待つ。
【００４９】
続いて大判ではないと判断すると、前記記憶した出版社より返品の曜日を求めて（ステップ−３６）、自動仕分け装置２１へ、この返品の曜日と重量センサ７により測定した書籍の重量を、書籍Ｂを仕分ける受け入れ部を特定する受け入れ部特定情報として、自動仕分け装置２１へ出力し（ステップ−３７）、続けて記憶した出版社と書名と仕入れ価格からなるデータを、「出版社への返品確定データ」として形成し、また記憶した書店名と書名と卸し価格からなるデータを、「書店への返品確定データ」として形成し、メモリ３１Ｂに記憶し（ステップ−３８）、ステップ−５へ戻り、次の書籍のＩＣチップまたはバーコード読取信号を待つ。
【００５０】
上記制御部４１の動作により、入力装置３により書店のコードが入力されると、投入口１より投入される書籍毎に、除外品（異型品）としてリジェクト１１で仕分けるかどうか、再検品としてリジェクト１２で仕分けるかどうか、返送品としてリジェクト１３で仕分けるかどうか、大判として振り分け装置１４で仕分けるかどうかが判別され、これら仕分けが実行されなかった通常の書籍の受け入れ部特定情報が自動仕分け装置２１の情報として出力される。そして、バインダーＶのシリアル番号が確認されると動作は終了される。また返品が確定した書籍Ｂの「出版社への返品確定データ」と「書店への返品確定データ」が記憶され出力される。また書店のコードとバインダーＶの番号からなるデータが管理コンピュータ１０へ出力され、バインダーＶが添付されたダンボールの仕分けが終了したことが管理される。
【００５１】
上記構成の制御装置３１の作用により、制御部４１から異型品信号、再検品信号、返送品信号、振り分け信号、受け入れ部特定情報が一定時間出力されると、トラッキング部４２から出力されるタイミング信号によりそれぞれ、各リジェクタ１１，１２，１３、振り分け装置１４へ駆動信号が出力され、また自動仕分け装置２１へ受け入れ部特定情報が出力される。これにより、書籍が通過するタイミングで各リジェクタ１１，１２，１３、振り分け装置１４が駆動され、書籍が搬出されるタイミングで自動仕分け装置２１へ受け入れ部特定情報が出力される。
【００５２】
以下、上記構成における作用を説明する。
作業者は、返品書籍が収納された書店毎のダンボールが到着すると、ダンボールにバインダーＶが添付されていることを確認し、続いてこのダンボールに予め付された書店のコードを入力装置３により制御装置３１へ入力する。そして、ダンボールから書籍Ｂを取り出し、目視で書籍Ｂの状況を判断し、問題がないと判断すると、書籍ＢのＩＣチップ実装ラベルとバーコードとＩＳＢＮコードが先端で表となるように、投入口１へ投入する。すると、ベルトコンベヤ装置２により搬送されながら、書籍ＢのＩＣチップとバーコードとＩＳＢＮコードの読取と、採寸と、重量測定が実行され、上記制御装置３１の制御部４１の判断により、除外品（異型品）はリジェクタ１１により異型品ラインへ仕分けられ、再検品はリジェクタ１２により再検品ラインへ仕分けられ、返送品はリジェクタ１３により返送品ラインへ仕分けられ、また大判の書籍は、振り分け装置１４によりコンベヤ装置１８（大判の仕分けライン）へ仕分けられる。
【００５３】
前記異型品ラインへ仕分けられた書籍Ｂは、自動仕分け装置２１による仕分けが不能と判断され、手作業での検品および仕分けが実行され、また再検品ラインへ仕分けられた書籍Ｂは再検品が実行され、また返送品ラインへ仕分けられた書籍Ｂは返品してきた書店へ返送され、また大判の仕分けラインへ仕分けられた書籍Ｂは、別途このラインで仕分けが実行される。
【００５４】
上記判断で仕分けられなかった書籍、すなわち外形、重量が正常で返品が可能と判断された書籍Ｂ（検品に適合した書籍）は、自動仕分け装置２１により上記受け入れ部特定情報に基づいて出版社の返品の曜日毎に仕分けられる。
【００５５】
そして、作業者は、ダンボールの書籍Ｂを全て投入口１へ投入すると、バインダーＶをＩＣチップ実装ラベル９が先端で表となるように、投入口１へ投入し、このダンボールの作業を終了する。このバインダーＶは、再検品ラインへ搬送され、再利用される。
【００５６】
以上のように本実施の形態によれば、書籍Ｂの検品の際に、ＩＣチップリーダ８またはバーコードリーダ４またはＯＣＲ６により書籍Ｂを特定するコードが読み取られると、このコードにより予め記憶された書誌マスター３３が検索されてこの書籍Ｂの書名と出版社が求められ、前記求めた書名と出版社により仕入れマスター３６が検索されて書籍Ｂの出版社との仕入れ条件、すなわち返品可能期間と清算される仕入れ価格が検索され、この書籍の仕入れ条件が出力されることにより、返品が確定した書籍Ｂを出版社へ返品するときに、その仕入れ価格に基づいて、返品する書籍の代金請求を行うことができる。
【００５７】
また本実施の形態によれば、書籍Ｂの検品の際に、販売条件を満たさない書籍Ｂが書店へ返送する書籍Ｂとして仕分けられる（分類される）とともに、書籍Ｂの少なくとも寸法または重量の１つが測定され、この測定の結果、書籍Ｂが予め設定された所定寸法内に含まれないとき、または予め設定された所定重量内に含まれないとき、この書籍Ｂは除外品として仕分けられる（分類される）ことにより、自動仕分け装置２１により仕分けが不可能な判型または重量の書籍Ｂが取り除かれ、仕分けが不可能な書籍Ｂにより自動仕分け装置２１に不具合が発生することを避けることができる。
【００５８】
また本実施の形態によれば、書籍Ｂの検品の際に、販売条件を満たさない書籍が書店へ返送する書籍として分類されるとともに、ＩＣチップリーダ８またはバーコードリーダ４またはＯＣＲ６により書籍Ｂを特定するコードが読み取られると、このコードにより予め記憶された書誌マスター３３が検索されてこの書籍Ｂの書名が求められ、この書名と、書店のコードにより書店マスター３４が検索されて求められた書店名によって販売マスター３５が検索され、販売された書籍Ｂの冊数が求められ、かつ各書店毎に返品された各書籍Ｂの冊数が累積され、累積された書籍Ｂの冊数が検索された販売書籍Ｂの冊数を超えると、異常返品として特定され、超えた分の書籍が書店へ返送する書籍Ｂとして仕分けられる（分類される）ことにより、販売していない書籍Ｂを受け取って書店へ代金を払い戻す恐れを解消できる。
【００５９】
また本実施の形態によれば、書店が複数の流通業者から販売を受けている書店のとき、ＩＣチップリーダ８により書籍Ｂを特定するコードと書籍Ｂに順に付されたシリアル番号（固有番号の一例）またはロット番号（書籍Ｂで形成された群の固有番号の一例）が読み取られると、書籍を特定するコードにより予め記憶された書誌マスター３３が検索されてこの書籍Ｂの書名が求められ、この書名、および書店のコードにより書店マスター３４が検索されて求められた書店名とによって販売マスター３５が検索されて書籍Ｂの販売条件とこの書店に販売したこの書籍Ｂのシリアル固有番号またはロット番号を求められ、この書籍Ｂが販売条件を満たさない書籍のとき、書店へ返送する書籍として分類されるとともに、求めた書籍Ｂのシリアル固有番号またはロット番号と前記読み取られた書籍Ｂのシリアル固有番号またはロット番号が比較され、一致しないとき返品されてきた書籍Ｂは、販売した書籍ではないと判断され、書店へ返送する書籍として仕分けられる（分類される）ことにより、販売していない書籍Ｂを受け取って書店へ代金を払い戻す恐れを解消できる。
【００６０】
また本実施の形態によれば、販売マスター３５に各書店毎の各書籍の販売条件として、返品可能期間が設定される委託販売または注文販売または買切販売の条件が記憶され、バーコードリーダ４またはＯＣＲ６により書籍Ｂを特定するコードが読み取られると、このコードにより予め記憶された書誌マスター３３が検索されてこの書籍Ｂの書名が求められ、この書名と、書店のコードにより書店マスター３４が検索されて求められた書店名によって販売マスター３５が検索されて書籍の販売条件が求められ、検索の結果、販売条件が注文販売または買切販売のとき、または販売条件が委託販売で前記返品可能期間を過ぎているとき、この書籍は書店へ返送する書籍として仕分けられる（分類される）ことにより、販売条件を満たしていない書籍Ｂを受け取って書店へ代金を払い戻す恐れを解消できる。
【００６１】
また本実施の形態によれば、書店からの書籍Ｂの返品可能期間は、仕入れマスター３６に記憶された各出版社への返品可能期間を基に設定され、出版社への返品が可能なように委託販売の返品可能期間が設定されることにより、流通業者が出版社へ返品できなくなることを回避することができる。
【００６２】
なお、本実施の形態では、販売マスター３５に設定された販売条件を、返品可能期間が設定された委託販売品か、注文販売品か、または買切販売品かの条件としているが、書籍が不扱い品か、調整品かなど他の条件を付加して販売条件を判断するようにすることもできる。
【００６３】
また本実施の形態では、書籍Ｂの検品の際に、書籍Ｂの寸法と重量を測定し、この測定の結果、書籍Ｂが予め設定された所定寸法内に含まれないとき、または予め設定された所定重量内に含まれないとき、この書籍Ｂを除外品として仕分けるようにしているが、さらに書籍Ｂの寸法の測定により書籍Ｂの体積を測定し、書籍Ｂの体積が予め設定された所定体積内に含まれないとき、この書籍Ｂを除外品として仕分けるように構成することもできる。これにより、書籍Ｂの少なくとも寸法または重量または体積の１つが測定され、前記測定の結果、書籍が予め設定された所定寸法内に含まれないとき、または予め設定された所定重量内に含まれないとき、または予め設定された所定体積内に含まれないとき、この書籍Ｂは除外品として分類される。
【００６４】
また本実施の形態では、投入口１より作業者が書籍Ｂを投入しているが、書籍を自動で投入できる切り出し装置（切出し手段の一例）を設置して自動化を図ることもできる。これにより、書籍は切出し装置によりベルトコンベヤ装置２の上流位置へ切り出されて仕分け作業が開始される。
【００６５】
また本実施の形態では、出版社へ書籍Ｂを返却する曜日により自動仕分け装置２１により書籍Ｂの仕分けを行っているが、書籍Ｂを出版社へ返品する作業日程計画に基づき、出版社へ書籍Ｂを返却する曜日、または書籍Ｂの判型、または出版社、または出版社名の５０音順、または出版社名が５０音図の行別（ア行、カ行、サ行…の別）あるいは行（ア行、カ行、サ行…）の組合せの別、または書籍Ｂが新刊か既刊かの別、の少なくとも一つ、あるいはこれらの組合せにより仕分けを行うようにすることができる。
【００６６】
【発明の効果】
以上述べたように本発明によれば、検品の際に、仕入先との仕入れ条件が出力されることにより、書籍を仕入先へ返品するときに、その仕入れ条件に基づいて、たとえば返品する書籍の代金を請求することができる。
【図面の簡単な説明】
【図１】本発明の実施の形態における返品書籍の検品方法を実行する仕分け設備の構成図である。
【図２】同仕分け設備の制御構成図である。
【図３】同仕分け設備のデータベースのデータ構成図である。
【図４】同仕分け設備の制御装置のブロック図である。
【図５】同仕分け設備の制御装置の制御部の動作を説明するフローチャートである。
【図６】同仕分け設備の制御装置の制御部の動作を説明するフローチャートである。
【符号の説明】
１    投入口
２    ベルトコンベヤ装置
３    入力装置
４    バーコードリーダ
５    採寸装置
６    ＯＣＲ
７    重量センサ
８    ＩＣチップリーダ
９    ＩＣチップ実装ラベル
１０  管理コンピュータ
１１，１２，１３  リジェクタ
１４  振り分け装置
１５，１６，１７，１８  コンベヤ装置
２１  自動仕分け装置
３１  制御装置
３２  データベース
３３  書誌マスター
３４  書店マスター
３５  販売マスター
３６  仕入れマスター
Ｂ    書籍
Ｖ    バインダー
【図１】
2004258932.tif 000003
【図２】
2004258932.tif 000004
【図３】
2004258932.tif 000005
【図４】
2004258932.tif 000006
【図５】
2004258932.tif 000007
【図６】
2004258932.tif 000008